(57)【特許請求の範囲】
【請求項１】
被検者の血糖値を測定する測定手段と、該測定手段で測定された測定データを記憶する第１メモリと、被検者個人用に作成した血糖値の経時変化を示す個人用基準データを記憶する第２メモリと、基準時間を入力する入力手段と、前記第１メモリに記憶された測定データと前記第２メモリに記憶された個人用基準データとを比較し、その測定データが個人用基準データを所定値以上越えたときに被検者に注意を促す告知手段とを備えた血糖値測定装置であって、
前記測定手段は、前記入力手段により入力された基準時間から所定時間経過後に測定を行い、
この基準時間から前記所定時間と同じ所定時間経過後の個人用基準データの基準値と、前記測定手段によって得られた基準時間から所定時間経過後の測定値とを比較し、その測定値が個人用基準データの基準値を所定値以上越えたときに、前記告知手段は被検者に注意を促すことを特徴とする血糖値測定装置。
【請求項２】
被検者の血糖値を所定時間毎に測定する測定手段を備えた血糖値測定装置であって、
被検者個人用に作成した血糖値の経時変化を示す個人用基準データを記憶するメモリと、
前記測定手段によって測定された測定値とメモリに記憶された個人用基準データの最大値および最小値とを比較し、その差が所定値を越えたとき被検者に注意を促す告知手段とを有することを特徴とする血糖値測定装置。
【請求項３】
請求項１に記載の告知手段は、前記個人用基準データのピーク時から所定時間経過した際のその個人用基準データの基準値と、前記測定データのピーク時から前記所定時間と同じ所定時間経過した際のその測定データの測定値とを比較し、その測定値が基準値より所定値以上大きいときに告知することを特徴とする血糖値測定装置。
【請求項４】
前記告知手段が告知した際、個人用基準データと測定データとの差に応じて運動プログラムを表示することを特徴とする請求項１ないし請求項３のいずれか１つに記載の血糖値測定装置。
【発明の詳細な説明】
【０００１】
【発明の属する技術分野】
この発明は、生体内の血糖値を測定する血糖値測定装置に関する。
【０００２】
【技術の技術】
従来、血糖値を測定するものとしては、生体から血液を採取して測定するものや、生体に電流を流すことによって測定するものが知られている。
【０００３】
そして、これら血糖値測定装置では、測定時点での測定結果を表示するのみであった。
【０００４】
【発明が解決しようとする課題】
上記従来の血糖値測定装置によれば、測定時点での測定結果を表示するのみであったことから、その測定結果が正常な値であるか異常な値であるかの認識が容易でないという問題があった。すなわち、被検者の血糖値は食物を摂取することによって増加する等経時的に変化するものであるため、測定時点のみの測定結果では上記認識が容易でないものである。
【０００５】
この発明は、上記事情に鑑みてなされたものであり、被検者の生活リズムを考慮して測定した血糖値が異常な値あるいは異常に近い値であることを容易に認識できるような血糖値測定装置を提供することにある。
【０００６】
【課題を解決するための手段】
上記目的を達成するため、請求項１の発明は、被検者の血糖値を測定する測定手段と、該測定手段で測定された測定データを記憶する第１メモリと、被検者個人用に作成した血糖値の経時変化を示す個人用基準データを記憶する第２メモリと、基準時間を入力する入力手段と、前記第１メモリに記憶された測定データと前記第２メモリに記憶された個人用基準データとを比較し、その測定データが個人用基準データを所定値以上越えたときに被検者に注意を促す告知手段とを備えた血糖値測定装置であって、
前記測定手段は、前記入力手段により入力された前記基準時間から所定時間経過後に測定を行い、
この基準時間から前記所定時間と同じ所定時間経過後の個人用基準データの基準値と、前記測定手段によって得られた基準時間から所定時間経過後の測定値とを比較し、その測定値が個人用基準データの基準値を所定値以上越えたときに、前記告知手段は被検者に注意を促すことを特徴とする。
【０００７】
請求項２の発明は、被検者の血糖値を所定時間毎に測定する測定手段を備えた血糖値測定装置であって、
被検者個人用に作成した血糖値の経時変化を示す個人用基準データを記憶するメモリと、
前記測定手段によって測定された測定値とメモリに記憶された個人用基準データの最大値および最小値とを比較し、その差が所定値を越えたとき被検者に注意を促す告知手段とを有することを特徴とする。
【０００８】
【実施の形態】
以下、この発明に係る血糖値測定装置の実施形態を図面に基づいて説明する。
【０００９】
図１および図２において、１０は腕時計式の血糖値測定装置であり、この血糖値測定装置１０は、本体１１と、この本体１１を腕に装着させるリストバンド１２とを備えている。本体１１の裏面には互いに所定距離離間した２つの電極１３,１４が設けられており、本体１１の表面（上面）１１Ａの一端には開閉可能な蓋１５が装着されている。
【００１０】
本体１１の表面１１Ａには、本体１１に内蔵された時計２２（図３参照）の時間を表示する表示器１６と、測定した血糖値を表示する表示器（表示手段）１７と、点滅して警告表示する警告表示器（告知手段：表示手段）１８と、操作部１９とが設けられている。操作部１９には、各種の操作を行う操作スイッチＳ1〜Ｓnが設けられている。表示器１６には、内蔵された時計２２の時間が表示されるので、通常腕時計として使用することができる。
【００１１】
蓋１５の裏面には液晶からなる表示器（表示手段）２０が設けられており、この表示器２０は後述するメモリに記憶された測定データ（血糖値）を図４に示すように測定グラフＧ1にして表示するとともに、個人用基準データである基準グラフＧ2を表示するようになっている。
【００１２】
図３は、血糖値測定装置１０の制御系の構成を示したブロック図である。図３において、２１は電極１３,１４間に電流を流してその電極１３,１４間に流れる電流値から血糖値を測定する血糖値測定手段であり、この血糖値測定手段２１は特開平１１−３４２１２３号公報や特表平１１−５０５４５２号公報に記載されているものと同一であるので、その構成の説明は省略する。２２は内蔵された時計（タイマ）、２３は血糖値測定手段２１によって測定された測定データを記憶するメモリ（第１メモリ）、２４はメモリ２３に記憶された測定データを転送する通信手段（出力手段）である。２５は個人用基準データを記憶するメモリ（第２メモリ）である。
【００１３】
３０はＣＰＵ等から構成されている制御装置であり、この制御装置３０は、操作部１９の操作スイッチＳ1〜Ｓnの操作などに基づいて血糖値測定手段２１,表示器１６〜１８,通信手段２４などを制御するようになっている。また、制御装置３０は、メモリ２３に記憶された測定データとメモリ２５に記憶された個人用基準データとを比較してその差を演算し、その差が所定値を越えたとき警告表示器１８を点滅させるようになっている。そして、制御装置３０,血糖値測定手段２１,メモリ２３,２５,通信手段２４などは本体１１内に設けられている。
【００１４】
次に、上記のように構成される血糖値測定装置１０の動作を説明する。
【００１５】
先ず、装着者の個人用の基準データ（個人用基準データ）を作成する。この個人用基準データの作成は、朝食,昼食,夕食の３度の食事をとってもらい、１日の必要な適正エネルギーを摂取してもらう。そして、その日の一定時間毎に血糖値のデータを測定し、このデータを個人用基準データとするものである。
【００１６】
この基準用のデータの測定は、先ずリストバンド１２によって本体１１を腕に装着する。この装着により本体１１の裏面に設けられた電極１３,１４は腕の皮膚に接触することになる。そして、蓋１５を開けて、操作部１９のスイッチＳを操作して個人用基準データ作成モードを設定し、朝食後あるいは朝食とほぼ同時に操作部１９のスタートスイッチを押し、蓋１５を閉じる。
【００１７】
ところで、適正エネルギーは、個人の体重（Ｋｇ）×必要エネルギー（Ｋcal）から求める。
【００１８】
必要エネルギーは、主に部屋で生活している人は２５（Ｋcal）、特に重労働をしていない人は３０（Ｋcal）、重労働をしている人は４０（Ｋcal）とする。また、摂取カロリーの比率は、朝６：昼５：夜４とする。
【００１９】
操作部１９のスタートスイッチが押されると、制御装置３０は一定時間経過毎に血糖値測定手段２１を動作させて、電極１３,１４間に電流を流して血糖値の測定を行う。この測定によって得られた血糖値（測定値）はメモリ２３に記憶されるとともに、その測定値は表示器１７に表示される。そして、夕食を取った後の血糖値のピーク時から所定時間経過後にその測定は終了する。
【００２０】
測定が終了したら、操作部１９の登録用のスイッチＳを押す。すると、メモリ２３に記憶されたデータがメモリ２５に転送され、メモリ２５に転送されたデータが個人用基準データとしてメモリ２５に記憶される。
【００２１】
ここでは、１つのデータ（１日分のデータ）を個人用基準データとしているが、例えば３日間測定して、その平均を取ったものを個人用基準データとしてもよく、また、通常の日常生活（普段の食事をした場合）の測定データを取ったものを個人用基準データとしてもよい。この場合も数日間の測定を行ってその平均をとっても良い。
【００２２】
個人用基準データの登録が終了したら、翌日から測定を行う。この測定は、操作部１９のスタートスイッチを押す。すると、制御装置３０は一定時間経過毎に血糖値測定手段２１を動作させて、電極１３,１４間に電流を流して血糖値の測定を行う。この測定によって得られた血糖値（測定値）はメモリ２３に記憶されるとともに、その測定値は表示器１７に表示される。この表示器１７には、メモリ２３に記憶された最新の血糖値が表示される。
【００２３】
制御装置３０は、メモリ２３に記憶された血糖値に基づいて、図４に示すように測定グラフＧ1を作成して表示器２０に表示していく。さらに、制御装置３０はメモリ２５に記憶された個人用基準データに基づいて基準グラフＧ2を作成して表示器２０に表示する。
【００２４】
この際、測定グラフＧ１の測定開始時と基準グラフＧ２の測定開始時とが一致され、あるいは、所定時間毎の測定データのピークＲ１〜Ｒ３のいずれかまたは全てを基準データのピークＰ１〜Ｐ３に一致させて表示される。
【００２５】
また、制御装置３０は、個人用基準データの最大値および最小値すなわち基準グラフＧ2の最大値Ｐ1および最小値Ｑ1と一定時間経過毎に測定される測定値とを比較し、測定値が最大値Ｐ1より２０パーセント以上オーバーしているとき、警告表示器１８を点滅させて食事の取り過ぎや運動不足であることを知らせることになる。また、その測定値が最小値Ｑ1より２０パーセント以上低下したとき、警告表示器１８を点滅させて血糖値が低すぎることを警告する。
【００２６】
被検者は、本体１１の蓋１５を開ければ、警告表示器１８の点滅の他に表示器１７に表示されている最新の血糖値と、表示器２０に表示されているグラフＧ1,Ｇ2とを見ることができ、測定グラフＧ1が基準グラフＧ2から遠ざかっているか否かが一目で分かる。また、グラフＧ1から血糖値の経時変化が一目で分かることになる。
【００２７】
なお、警告は蓋１５を開けない状態でも確認することができるように構成することもできる。
【００２８】
このように、装着者個人（被検者）用に作成した個人用基準データと測定データとを比較するものであるから、装着者は個人に合った健全な日常生活を基準にしてカロリーの取り過ぎや運動不足などの傾向を知ることができるとともに、異常の発見を適正に行うことができる。つまり、被検者の生活リズムを考慮して測定した血糖値が異常な値あるいは異常に近い値であることを容易に認識することができる。
【００２９】
上記実施形態では、個人用基準データの最大値および最小値と測定値とを比較し、その測定値が最大値Ｐ1より２０パーセント以上オーバーしたとき警告表示器１８を点滅させているが、測定データの各ピーク毎の最大値Ｒ1〜Ｒ3と個人用基準データの各ピーク毎の最大値Ｐ1〜Ｐ3とを比較し、その差（Ｒ1−Ｐ1,Ｒ2−Ｐ2,Ｒ3−Ｐ3）が所定値を越えたとき、警告表示器１８を点滅させて食事の取り過ぎや運動不足であることを知らせるようにしてもよい。
【００３０】
また、操作部１９のスイッチＳの操作により基準時間となる食事時間を入力し、この食事時間から所定時間経過したとき、制御装置３０が血糖値測定手段２１を動作させて血糖値の測定を行い、この測定した測定血糖値と、食事時間から所定時間経過した個人用基準データの基準血糖値とを比較し、その測定血糖値が基準血糖値より所定値以上大きくなった場合に警告表示器１８を点滅させるようにしてもよい。
【００３１】
このように、食事時間から所定時間経過した際に血糖値を測定することにより、以下のような利点がある。
【００３２】
血糖値は食事後１時間程度は上昇しその後徐々に低下していくことが知られている一方、糖尿病ではないものの一般に糖尿病予備軍と呼ばれるような人は、上記した食事後の血糖値の低下が遅いことも知られている。したがって、食事時間から所定時間例えば２時間程度経過した後の血糖値を測定することによって、糖尿病に近い状態にあるか否かの認識が容易となる。
【００３３】
メモリ２３に記憶されたデータを例えば携帯電話に転送するには、図示しないコードで本体１１と携帯電話とを接続する。そして、操作スイッチＳを操作するとメモリ２３に記憶されたデータが読み出され、このデータが通信手段２４によって携帯電話に転送される。携帯電話に転送されたデータはその携帯電話により例えば病院等に送信することができることになる。この送信により、通院しなくても医師が血糖値の経時変化を把握することができ、医師から適切なアドバイスを受けることができる。
【００３４】
このように、リストバンド１２によって本体１１を腕に装着しているだけで、設定した時間毎に電極１３,１４間に電流が流れて血糖値が自動的に測定されていくので、生体から血液を採血する必要がなく、このため被検者に不快感を与えてしまうことがない。しかも、設定した時間毎に自動的に血糖値が測定されていくことにより、被検者は血糖値を測定する時間を意識する必要がなく、自宅で測定することができ、被検者に無理な負担を掛けてしまうことがない。さらに、１日のうち何回も自動的に測定することができるので、被検者に負担を掛けずに血糖値の経時変化を見ることができる。
【００３５】
上記実施形態では、本体１１の裏面に２つの電極１３,１４を設けているが、リストバンド１２の裏面に設けても良い。また、表示器２０を蓋１５の裏面に設けているが、本体１１の表面１１Ａに設け、操作部１９を蓋１５の裏面に設けてもよい。
【００３６】
上記実施形態では、腕に装着する血糖値測定装置１０について説明したが、他の人体の部分に装着するようにしてもよい。
【００３７】
図５は第２実施形態を示したものである。この第２実施形態では、個人用基準データの各ピークＰ1〜Ｐ3時から所定時間Ｔ1経過したときの基準値Ｐ1a〜Ｐ3aと、測定データの各ピークＲ1〜Ｒ3時から所定時間Ｔ1経過したときの測定値Ｒ1a〜Ｒ3aとを比較し、その測定値Ｒ1a〜Ｒ3aが基準値Ｐ1a〜Ｐ3aより所定値以上大きいとき、警告表示器１８を点滅させるようにしたものである。
【００３８】
図６は第３実施形態を示したものである。この第３実施形態では、基準グラフ（個人用基準データ）Ｇ2と測定グラフ（測定データ）Ｇ1との差が所定値を越えたとき、その差に応じて被検者が行うことが望ましい運動プログラムである。例えば「ウオーキング６０分」等を表示器２０に表示するようにしたものである。この場合には、その差に応じてウオーキング時間を変えていく。
【００３９】
基準グラフＧ2と測定グラフＧ1との差は、測定値が最大値Ｐ1より２０パーセント以上オーバーしているときの差あるいは測定値が最小値Ｑ1より２０パーセント以上低下したときの差、測定データの各ピーク毎の最大値Ｒ1〜Ｒ3と個人用基準データの各ピーク毎の最大値Ｐ1〜Ｐ3との差、個人用基準データの各ピークＰ1〜Ｐ3時から所定時間Ｔ1経過したときの基準値Ｐ1a〜Ｐ3aと、測定データの各ピークＲ1〜Ｒ3時から所定時間Ｔ1経過したときの測定値Ｒ1a〜Ｒ3aとの差等の何れでも良い。
【００４０】
【発明の効果】
以上説明したように、本発明によれば、被検者の生活リズムを考慮して測定した血糖値が異常な値あるいは異常に近い値であることを容易に認識することができる。
【図面の簡単な説明】
【図１】この発明に係る血糖値測定装置を示した斜視図である。
【図２】図１に示す血糖値測定装置の本体の裏面を示した説明図である。
【図３】血糖値測定装置の制御系の構成を示したブロック図である。
【図４】表示器に表示される血糖値のグラフを示した説明図である。
【図５】第２実施形態を示した説明図である。
【図６】第３実施形態を示した説明図である。
【符号の説明】
１１      本体
１８      表示器（告知手段）
２３      第１メモリ（メモリ）
２５      第２メモリ（メモリ）
３０      制御装置
【図１】
0003768436.tif 000002
【図２】
0003768436.tif 000003
【図３】
0003768436.tif 000004
【図４】
0003768436.tif 000005
【図５】
0003768436.tif 000006
【図６】
0003768436.tif 000007